(57)【要約】【課題】回転させ易いレベル表示具を提供する。【解決手段】本発明のレベル表示具１０は、雄ネジを有する長尺なレベル表示具本体１１と、レベル表示具本体１１の周方向に間隔をあけて設けられた、コンクリートの打設目標高さを示す複数の表示部１３と、複数の表示部１３の少なくとも一つに形成され、調節補助具３０の突起部３４と係合する切欠き凹部１５とを備えることを特徴とする。【選択図】図６
2020020093.tif 000002
【特許請求の範囲】
【請求項１】
切欠き凹部又は突起部の一方を備える調節補助具を有した調節具によって高さ調節可能なレベル表示具であって、
ネジ部を有する長手状のレベル表示具本体と、
前記レベル表示具本体の周方向に間隔をあけて設けられた、コンクリートの打設目標高さを示す複数の表示部と、
前記複数の表示部の少なくとも一つに形成され、前記調節補助具の前記切欠き凹部又は突起部の一方と係合する、切欠き凹部又は突起部の他方と、
を備えることを特徴とするレベル表示具。
【請求項２】
ネジ部を有する長手状のレベル表示具本体と、前記レベル表示具本体の周方向に間隔をあけて設けられた、コンクリートの打設目標高さを示す複数の表示部と、前記複数の表示部の少なくとも一つに形成された切欠き凹部又は突起部の一方と、を備えるレベル表示具の高さを調節するための調節具用の調節補助具であって、
前記複数の表示部の周方向間に挿入される係合部と、
前記レベル表示具の前記切欠き凹部又は突起部の一方と係合する、切欠き凹部又は突起部の他方と、
を備えることを特徴とする調節補助具。
【請求項３】
請求項２に記載の調節補助具を備える、前記レベル表示具を高さ調節するための調節具。
【発明の詳細な説明】
【技術分野】
【０００１】
本発明は、コンクリートの打設目標高さを示す表示部を備えたレベル表示具に関する。また、本発明は、当該レベル表示具を高さ調節するための調節具、及び当該調節具用の当調節補助具にも関する。
【背景技術】
【０００２】
コンクリート基礎を施工する際には、コンクリートの打設前に、コンクリートの打設目標高さを示す目印をあらかじめ設置しておく必要がある。このような目印として、従来、図７に示すレベル表示具が使用されている。また、このようなレベル表示具は特許文献１にも開示されている。
【０００３】
図７を参照して従来のレベル表示具について説明する。図７は従来のレベル表示具１００の斜視図である。図７に示すレベル表示具１００は、レベル表示具本体１０１と、雄ネジ１０２と、二つの第一表示部１０３と、第二表示部１０４とを備える。レベル表示具本体１０１は、上下方向に延びる棒状である。雄ネジ１０２はレベル表示具本体１０１の表面に形成されている。二つの第一表示部１０３は、雄ネジ１０２よりも上方で、且つ、レベル表示具本体１０１の周方向に所定間隔あけて形成されている。第一表示部１０３は、コンクリートの打設目標高さを示すコンクリート用目印として機能する。第二表示部１０４はレベル表示具本体１０１の頂部であり、レべリング材の打設目標高さを示すレベリング材用目印として機能する。第一表示部１０３と第二表示部１０４との上下方向間の間隔は、打設予定のレベリング材の厚みに合わせて予め設定されている。レベル表示具１００は、鉄筋Ｔ（図７では横筋）に取り付けられた取付補助具Ｘに上下動可能に保持される。レベル表示具１００は、建物の大きさにもよるが、住宅用のコンクリート基礎を施工する場合には、数百本使用される。
【０００４】
図８を参照して従来のレベル表示具１００を回転させて高さ調節するための従来の調節具２００及び調節補助具３００について説明する。図８（ａ）は従来の調節具２００及び調節補助具３００の正面図である。図８（ｂ）は従来の調節補助具３００と従来のレベル表示具１００とが係合した状態の正面図である。調節具２００は、カバー２０１と、シャフト２０２と、ハンドル２０３と、調節補助具３００と、を備える。シャフト２０２はカバー２０１内に挿通されている。ハンドル２０３は、シャフト２０２の一端に固定されている。調節補助具３００は、シャフト２０２の他端に取り付けられている。カバー２０１には、レーザレベルからのレーザ光を受光するレベルセンサが取り付けられる。
【０００５】
調節補助具３００は、補助具本体３０１と、係合部３０２と、を備える。係合部３０２は補助具本体３０１に一体的に形成され、補助具本体３０１から下方に延びている。係合部３０２は矩形状であり、上下方向全長にわたって同一の幅を有している。係合部３０２は、二つの第一表示部１０３の周方向間に挿入される。
【０００６】
調節具２００では、ハンドル２０３の回転に伴い、シャフト２０２及び調節補助具３００も回転する。そして、調節補助具３００の回転に伴い、係合部３０２が第一表示部１０３に当接し、レベル表示具１００を回転させることができる。レベル表示具１００を高さ調節する際には、レーザレベル及びレベルセンサを使用して、目印が打設目標高さに到達したか否かを判断する。
【先行技術文献】
【特許文献】
【０００７】
【特許文献１】特開２０１５−０５２２１９号公報
【発明の概要】
【発明が解決しようとする課題】
【０００８】
ところで、調節補助具の係合部の幅は第一表示部間の間隔よりも小さくなっているため、係合部と第一表示部との間には多少なりとも隙間ができる。これにより、レベル表示具を回転させ難くなる場合があった。
【０００９】
本発明は、回転させ易いレベル表示具を提供することを目的とする。
【００１０】
本発明は、レベル表示具を回転させ易くすることができる調節補助具及び当該調節補助具を備えた調節具を提供することを目的とする。
【課題を解決するための手段】
【００１１】
本発明は、切欠き凹部又は突起部の一方を備える調節補助具を有した調節具によって高さ調節可能なレベル表示具であって、
ネジ部を有する長手状のレベル表示具本体と、
前記レベル表示具本体の周方向に間隔をあけて設けられた、コンクリートの打設目標高さを示す複数の表示部と、
前記複数の表示部の少なくとも一つに形成され、前記調節補助具の前記切欠き凹部又は突起部の一方と係合する、切欠き凹部又は突起部の他方と、
を備えることを特徴とする。
【００１２】
本発明は、ネジ部を有する長手状のレベル表示具本体と、前記レベル表示具本体の周方向に間隔をあけて設けられた、コンクリートの打設目標高さを示す複数の表示部と、前記複数の表示部の少なくとも一つに形成された切欠き凹部又は突起部の一方と、を備えるレベル表示具の高さを調節するための調節具用の調節補助具であって、
前記複数の表示部の周方向間に挿入される係合部と、
前記レベル表示具の前記切欠き凹部又は突起部の一方と係合する、切欠き凹部又は突起部の他方と、
を備えることを特徴とする。
【００１３】
本発明は、前記調節補助具を備える、前記レベル表示具を高さ調節するための調節具にも関する。
【発明の効果】
【００１４】
本発明のレベル表示具は、調節補助具の切欠き凹部又は突起部の一方と係合する、切欠き凹部又は突起部の他方を備えている。これにより、レベル表示具を回転させる際に、調節補助具の切欠き凹部又は突起部の一方と、レベル表示具の切欠き凹部又は突起部の他方とが噛み合うため、レベル表示具を回転させ易くなる。
【００１５】
本発明の調節補助具は、レベル表示具の切欠き凹部又は突起部の一方と係合する、切欠き凹部又は突起部の他方を備えている。これにより、レベル表示具を回転させる際に、調節補助具の切欠き凹部又は突起部の一方と、レベル表示具の切欠き凹部又は突起部の他方とが噛み合うため、レベル表示具を回転させ易くなる。
【図面の簡単な説明】
【００１６】
【図１】レベル表示具の斜視図である。
【図２】（ａ）レベル表示具の平面図、（ｂ）レベル表示具の正面図、（ｃ）レベル表示具の右側面図、（ｄ）図１のＩＩｄ−ＩＩｄ線断面図である。
【図３】調節具及び調節補助具の正面図である。
【図４】（ａ）及び（ｂ）は調節補助具の斜視図である。
【図５】（ａ）調節補助具の正面図、（ｂ）調節補助具の底面図、（ｃ）調節補助具の右側面図、（ｄ）（ａ）の縦断面図である。
【図６】（ａ）及び（ｂ）は調節補助具とレベル表示具とが係合した状態の斜視図、（ｃ）調節補助具とレベル表示具とが係合した状態の底面図である。
【図７】従来のレベル表示具の斜視図である。
【図８】（ａ）従来の調節具及び調節補助具の正面図、（ｂ）従来の調節補助具と従来のレベル表示具とが係合した状態の正面図である。
【発明を実施するための形態】
【００１７】
本発明について図面を参照しながら説明する。以下で説明する実施形態は、本発明の好ましい一具体例を示すものである。本発明は、以下の実施形態に限定されず、その主旨を逸脱しない範囲で適宜変更可能である。
【００１８】
＜レベル表示具＞
まず、図１及び図２を参照してレベル表示具１０について説明する。図１は、レベル表示具１０の斜視図である。図２（ａ）から（ｃ）はそれぞれレベル表示具１０の平面図、正面図、右側面図であり、図２（ｄ）は図１のＩＩｄ−ＩＩｄ線断面図である。以下では、図１の上下をレベル表示具１０の上下として説明する。
【００１９】
レベル表示具１０は、レベル表示具本体１１と、雄ネジ１２と、複数の第一表示部１３と、第二表示部１４と、を備える。レベル表示具１は好ましくは樹脂から成る一体成型品である。
【００２０】
レベル表示具本体１１は、上下方向に延びる棒状である。雄ネジ１２は、レベル表示具本体１１の表面に形成されている。レベル表示具１０は、鉄筋に取り付けられた取付補助具に上下動可能に保持される。この取付補助具は、図７に示した取付補助具Ｘが使用できる。
【００２１】
第一表示部１３は雄ネジ１２よりも上方に形成されている。本実施形態におけるレベル表示具１０は二つの第一表示部１３を備えている。二つの第一表示部１３は板状である。二つの第一表示部１３は、レベル表示具本体１１の長手軸に対し対称に形成され、且つレベル表示具本体１１から横方向に延びている。第一表示部１３はコンクリートの打設目標高さを示す目印として機能する。図１及び図２（ａ）に示すように、二つの第一表示部１３の基端部にはそれぞれ切欠き凹部１５が形成されている。切欠き凹部１５は曲面状の凹部である。後述するが、一方の第一表示部１３の切欠き凹部１５には、調節補助具３０の突起部３４が係合する。
【００２２】
第二表示部１４は第一表示部１３よりも上方に形成されている。本実施形態では、第二表示部１４はレベル表示具本体１１の頂部である。第二表示部１４は、コンクリートの天端面に流し込まれるレベリング材の打設目標高さを示す目印として機能する。第一表示部１３と第二表示部１４との上下方向間の間隔は、打設予定のレベリング材の厚みに合わせて予め設定されている。
【００２３】
レベル表示具本体１１のうち、第一表示部１３よりも上方の部位は、レベル表示具本体１１の長手軸に直交する断面視で非真円形状である、非真円形状部１１ａを備える（図２（ｄ）参照）。本実施形態では、非真円形状部１１ａは、レベル表示具本体１１の長手軸に直交する断面視で六角形である。図１に示すように、非真円形状部１１ａは、レベル表示具本体１１の頂部から第一表示部１３よりもわずかに下方の位置まで延在している。非真円形状部１１ａは、レベル表示具本体１１の頂部から第一表示部１３の上面まで、同一径で延在している。
【００２４】
＜調節具及び調節補助具＞
次に、図３から図５を参照して、レベル表示具１０の高さ調節を実施するための調節具２０及び調節補助具３０について説明する。図３は調節補助具３０が取り付けられた調節具２０の正面図である。以下では、図３の上下を調節具２０及び調節補助具３０の上下として説明する。
【００２５】
調節具２０は、カバー２１と、シャフト２２と、ハンドル２３と、調節補助具３０と、を備える。カバー２１は断面視で角筒状の金属材料から成る。カバー２１にはレーザレベルからのレーザ光を受光するレベルセンサが取り付け可能である。シャフト２２はカバー２１内に挿通されている。ハンドル２３はシャフト２２の上端に、シャフト２２と同軸に取り付けられている。調節補助具３０はシャフト２２の下端に、シャフト２２と同軸に取り付けられている。ハンドル２３の回転に伴いシャフト２２が回転する共に、シャフト２２に取り付けられた調節補助具３０も回転する。
【００２６】
図４（ａ）及び（ｂ）は調節補助具３０の斜視図である。図５（ａ）から（ｃ）はそれぞれ調節補助具３０の正面図、底面図、右側面図であり、図５（ｄ）は図５（ａ）の縦断面図である。
【００２７】
調節補助具３０は、補助具本体３１と、係合部３２と、キャップ３３と、を備える。補助具本体３１は、その内部が中空となった筒状である。補助具本体３１、係合部３２及びキャップ３３は例えば樹脂製である。
【００２８】
係合部３２は、補助具本体３１と一体的に形成されている。係合部３２は、レベル表示具１０の二つの第一表示部１３間に挿入される。本実施形態では、係合部３２は、補助具本体３１の中心軸に対して対称に二つ形成されている。
【００２９】
図５（ａ）及び（ｃ）に示すように、係合部３２は、第一部分３２１と、第二部分３２２とから構成されている。第一部分３２１は、補助具本体３１の下端から下方に直線状に延びている。第一部分３２１の幅Ｗは、二つの第一表示部１３の周方向間の間隔よりもわずかに小さくなっている。
【００３０】
第二部分３２２は、第一部分３２１の下端に連続し且つ第一部分３２１よりも幅狭である。第二部分３２２の幅方向両端には、下方に向かうにしたがい、係合部３２の中心に向けて次第に傾斜する第一傾斜面（テーパ面）３２３がそれぞれ形成されている。これにより、第二部分３２２は、その幅が下方に向かうにしたがい次第に縮小するテーパ状となっている。具体的には、第二部分３２２は、側面視で逆三角形状である。図５（ａ）に示すように、第二部分３２２の内面には、下方に向かうにしたがい外方（つまり、補助具本体３１の中心軸から離れる方向）へ傾斜する第二傾斜面３２４が形成されている。これにより、二つの第二部分３２２間の間隔は、下方に向かうにしたがい次第に大きくなっている。
【００３１】
図５（ａ）、（ｂ）及び（ｄ）に示すように、補助具本体３１の内面及び係合部３２の内面には、補助具本体３１から係合部３２の第一部分３２１にかけて上下方向に延びる突起部３４が形成されている。突起部３４はレベル表示具１０の切欠き凹部１５と相補的形状である。すなわち、本実施形態では、突起部３４は曲面状の凸部である。突起部３４は、レベル表示具１０の切欠き凹部１５に対応する位置に形成されている。調節補助具３０をレベル表示具１０と係合させた際に、突起部３４は、切欠き凹部１５内に挿入される。
【００３２】
図５（ｄ）に示すように、キャップ３３は、挿入部３３１と、フランジ部３３２と、延出部３３３と、を備える。挿入部３３１は、補助具本体３１の中空内部に挿入される。フランジ部３３２は、補助具本体３１の上端に載置される。延出部３３３は、フランジ部３３２から上方に延出している。挿入部３３１及び延出部３３３には、シャフト２２を挿入するための凹部３３４が形成されている。補助具本体３１及び挿入部３３１には、凹部３３４と連通し、且つネジ３３５が取り付けられる貫通穴が形成されている。貫通穴の内周面には雌ネジが形成されており、ネジ３３５はその雌ネジと螺合している。これにより、キャップ３３は補助具本体３１に着脱可能に固定される。また、ネジ３３５はその先端が凹部３３４内に挿入されたシャフト２２に当接してシャフト２２を凹部３３４の内壁に押し付けることで、シャフト２２をキャップ３３に固定している。こうして、調節補助具３０は、シャフト２２に着脱可能に取り付けられる。
【００３３】
＜使用方法及び作用効果＞
以下では、図６を参照して、レベル表示具１０、並びに調節補助具３０及び調節具２０の使用方法について説明する。また、それらの作用効果についても説明する。図６（ａ）及び（ｂ）は調節補助具３０がレベル表示具１０に係合している状態の斜視図であり、図６（ｃ）は調節補助具３０がレベル表示具１０に係合している状態の底面図である。なお、図６（ａ）から（ｃ）では、調節具２０のカバー２１、シャフト２２及びハンドル２３は省略している。
【００３４】
調節補助具３０の係合部３２をレベル表示具１０の上方から、補助具本体３１の下端が第一表示部１３の上面に当接するまで、二つの第一表示部１３間に挿入する。このとき、レベル表示具１０の非真円形状部１１ａは、補助具本体３１の中空内部に収容される。係合部３２の第一部分３２１は、二つの第一表示部１３の間に位置している。突起部３４は、レベル表示具１０の切欠き凹部１５内に挿入されている。
【００３５】
調節具２０のハンドル２３を回転させることにより、調節補助具３０を回転させる。調節補助具３０の回転に伴い、レベル表示具１０も回転する。レベル表示具１０の第二表示部１４の高さ位置がレベリング材の打設目標高さと一致するよう、レベル表示具１０の高さ調節を行う。なお、第一表示部１３と第二表示部１４との上下方向間の間隔は、打設予定のレベリング材の厚みに合わせて予め設定されているため、第二表示部１４の位置をレベリング材の打設目標高さに合わせれば、第一表示部１３の位置は自動的にコンクリートの打設目標高さに合うようになっている。
【００３６】
本発明では、レベル表示具１０に切欠き凹部１５が設けられ、調節補助具３０にその切欠き凹部１５内に嵌まる突起部３４が設けられている。これにより、調節補助具３０を回転させた際に、突起部３４と切欠き凹部１５を有する第一表示部１３とが噛み合うため、レベル表示具１０を回転させ易くなる。
【００３７】
係合部３２の先端を構成する第二部分３２２がテーパ状になっていることにより、係合部３２を二つの第一表示部１３間に挿入しやすくなる。第二部分３２２は第一傾斜面３２３を有しているため、第一傾斜面３２３が第一表示部１３に接触したとしても、係合部３２は第一傾斜面３２３によって二つの第一表示部１３間にスムーズに案内される。このように、係合部３２がテーパ状の第二部分３２２を有していることにより、第一表示部１３に引っ掛かり難くなる。
【００３８】
係合部３２の第二部分３２２には第二傾斜面３２４が形成されているため、二つの第二部分３２２間の間隔は下方に向かうにしたがい大きくなっている。これにより、第二部分３２２がレベル表示具１０の頂部に引っ掛かり難くなる。また、第二傾斜面３２４がレベル表示具１０の頂部に接触したとしても、係合部３２は第二傾斜面３２４によってスムーズに二つの第一表示部１３間に案内される。
【００３９】
＜変形例＞
上記では、レベル表示具１０に切欠き凹部１５を設け、調節補助具３０に突起部３４を設けた実施形態について説明したが、これは逆であってもよい。すなわち、レベル表示具１０に突起部を設け、調節補助具３０にレベル表示具１０の突起部と係合する切欠き凹部を設けるようにしてもよい。
【符号の説明】
【００４０】
１０        レベル表示具
１１        レベル表示具本体
１２        雄ネジ（ネジ部）
１３        第一表示部（表示部）
１４        第二表示部
１５        切欠き凹部
２０        調節具
３０        調節補助具
３１        補助具本体
３２        係合部
３４        突起部
【図１】
2020020093.tif 000003
【図２】
2020020093.tif 000004
【図３】
2020020093.tif 000005
【図４】
2020020093.tif 000006
【図５】
2020020093.tif 000007
【図６】
2020020093.tif 000008
【図７】
2020020093.tif 000009
【図８】
2020020093.tif 000010